(57)【要約】【課題】観音開き式の扉を有する石製重量物の香炉において、加工精度が悪くとも組立が容易であり、さらには軸支持部の経年変化による扉の傾きを簡易かつ迅速に調節可能な扉の軸支持機構を提供する。【解決手段】略垂直の回動軸をもって立設開閉させる扉であって、この扉の回動軸の下端部を香炉の基台の取付部に軸支持すると共に、前記回動軸の上端部を閉時の扉面に沿った水平方向の調節移動を可能とする調節機構を介して香炉の立枠の取付部に軸支持する。前記調節機構は、閉時の扉面に沿った方向に水平配置し、かつ外部からの軸回転を可能にして取付部に保持した送りネジと、この送りネジに螺合して軸移動すると共に、前記扉回転軸の上端部を軸支持する稼働部と、から構成している。また、扉の回動軸の軸部は上下別箇に形成する。【選択図】      図１
2007204977.tif 000002
【特許請求の範囲】
【請求項１】
略垂直の回動軸をもって立設開閉させる扉であって、
該扉の回動軸の下端部を取付部に軸支持すると共に、
前記回動軸の上端部を水平方向の調節移動を可能とする調節機構を介して取付部に軸支持したことを特徴とする扉の支持機構。
【請求項２】
前記調節機構を、調節移動の方向が閉時の扉面に沿った方向になるように取付部に保持したことを特徴とする請求項１記載の扉の支持機構。
【請求項３】
前記調節機構において、
閉時の扉面に沿った方向に水平配置し、かつ外部からの軸回転を可能にして取付部に保持した送りネジと、
該送りネジに螺合して軸移動すると共に、前記扉の回転軸の上端部を軸支持する稼働部と、
から構成したことを特徴とする請求項１、又は２記載の扉の支持機構。
【請求項４】
扉の回動軸の軸部を上下別箇に形成していることを特徴とする請求項１、２、又は３記載の扉の支持機構。
【発明の詳細な説明】
【技術分野】
【０００１】
本願発明は、略垂直の回動軸をもって立設開閉させる扉（又は開戸）の支持機構の分野に属し、特に、石製等の重量物扉の回動軸の調節機構を備えた扉の支持機構に関する。
【背景技術】
【０００２】
石製等の重量物扉、例えば、墓石の前に配置される香炉の種々構成として経机型香炉の天面板の下部に、焼香時の雨風防止のため、及び線香や香炉皿等の葬祭用品の収納空間確保のために観音開き式に取り付けた石製の扉がある。
【０００３】
このような扉の支持機構として通常用いられているものは、扉の支持位置の上下端部にそれぞれベアリング等の滑動手段により軸受部を形成した貫通型の回動軸を、香炉の基台及び天面板の取付部に回動自在に配置して軸支持するものであった。
【０００４】
また、他にも、扉側の下端部に開口した中空円筒部の内周面に合成樹脂を充填して形成した軸受部と、この軸受部に枠体に立設した金属製の支持軸を挿着して、いわゆる片持ち状に構成して支持する扉の支持機構が開示されていた（例えば、特許文献１参照。）。
【特許文献１】特開２００１−１６４８２２（第２−５頁、第３図）
【発明の開示】
【発明が解決しようとする課題】
【０００５】
しかしながら、上記した従来の一般的な支持機構では、扉が重量物である石製である場合には、回動軸の取付孔の孔径や鉛直度等の加工精度を確保することが難しく、いわゆる組立時の芯出し作業が面倒な上、組立後にも扉の円滑な開閉動が得難いという問題があった。また、滑動手段にベアリングやオイルレスメタル等の金属部品を使った場合には、経年変化によって精度確保が難しくなるという課題もあった。
【０００６】
特許文献１で開示されている支持機構は、例えば、軸受部の形成において専用治具を必要とする上、２種類以上の合成樹脂を混合して中空円筒部に充填したりと、作業が繁雑であることからコストアップ等のマイナス要因を備えている。また、この支持機構は経年変化により扉に傾斜が発生し、扉の開閉が困難又は不可能になる問題があった。すなわち、この支持機構は、扉に対して偏位した支持軸によるいわゆる片持ち支持構造であるため、石製で重量のある扉の場合は径年使用により反軸支持側がだんだんと下がって扉面方向に傾く現象が発生し、これが左右の扉を閉じた場合の合わせ目のずれや間隔の減少が起き、最悪の場合は開閉時に互いに干渉（左右扉の対向端部の接触）して閉じなくなってしまう現象が起きていた。
【０００７】
そこで、本願発明は上記課題を解決するために為されたものであり、回動軸の取付孔等の位置の寸法精度が悪くとも組立が容易であり、さらには軸支持部の経年変化による扉の傾きを簡易かつ迅速に調節して円滑な扉の開閉を確保することができる扉の軸支持機構を提供する。
【課題を解決するための手段】
【０００８】
上記課題を解決するため、本願発明にかかる扉の支持機構は、以下のように構成している。
すなわち、石製の重量物である香炉に配置する略垂直の回動軸をもって立設開閉させる扉であって、この扉の回動軸の下端部を香炉の基台の取付部に軸支持すると共に、前記回動軸の上端部を水平方向の調節移動を可能とする調節機構を介して香炉の立枠の取付部に軸支持したことを特徴としている。
【０００９】
前記調節機構は、その調節移動の方向が閉時の扉面に沿った方向になるように取付部に保持することが、石製重量物である香炉の扉の傾斜方向を鑑みて望ましいものであるが、この方向に限定するものではなく、例えば、開時の扉面に沿った方向、又は閉時の扉面と所定の角度を持った方向、さらには２方向から保持するようにしても良い。
【００１０】
また、前記調節機構は、閉時の扉面に沿った方向に水平配置し、かつ外部からの軸回転を可能にして取付部に保持した送りネジと、この送りネジに螺合して軸移動すると共に、前記扉回転軸の上端部を軸支持する稼働部と、から構成することが好ましいものである。この構成によって、回動軸の上端部を軸支持する稼動部を送りネジの回動によって水平方向に移動させることが可能となり、回動軸の下端部を固定していることから扉面方向の傾斜状態を調節可能となる。
【００１１】
さらに、扉の回動軸の軸部を上下別箇に形成しても良い。この構成により、扉の回動軸を配置する軸孔の加工精度は、一体型回動軸を配置する貫通孔の場合の加工精度より低く設定できる。
【発明の効果】
【００１２】
本願発明の扉の軸支持機構は上記の構成であるため、以下の効果を発揮する。
扉の下端側は回動軸により回動自在に取付部に支持され、扉の上端側は調設機構を介して取付部に支持されることとなる。このため、下端側は取付部によって所定位置に位置決めされるが、上端側の位置決めは調節機構の調整範囲においてある程度自由に設定可能となり、回動軸の上端側と下端側の各取付部への加工精度が悪くとも組立時における扉の回動軸の芯出し作業が容易となる効果を奏する。
【００１３】
また、調節機構により回動軸の上端側を移動可能に構成しているため、経年変化等のよる扉の反軸支持側への傾斜を適宜に調節又は修正でき、扉の円滑な開閉状態を長期間に渡って確保することが可能である。さらに、調節機構の送りネジは外部からの軸回転を可能にしているため、香炉を分解等をせずに調節機構の操作が可能であり、前記傾斜の調節が簡易かつ迅速にでき、その効果は顕著なものである。
【発明を実施するための最良の形態】
【００１４】
以下、本願発明に係る扉の支持機構１（以下、「本機構」と称する。）の具体的実施形態例について、図面に基づき詳細に説明する。図１は本機構を示す一部切り欠き斜視図であり、図２は本機構を示す組立斜視図であり、図３は本機構の調節時の状態を示す作用図であり、図４は墓石の外観を示す斜視図（Ａ）と香炉を示す斜視図（Ｂ）である。
【００１５】
まず、香炉５とは、一般的に図４の（Ａ）及び（Ｂ）に示すように、墓石Ｇの前面側に配置する経机の外観を呈した石製の構造物である。かかる香炉５は、板状の基台５１に平面視コ字状の立枠５２を立設し、この立枠５２の上面側を覆うように天面板５３を配置し、立枠５２の開放面側に観音開き式の２枚の扉５４、５４を配置して構成している。前記天面板５３は、各扉５４、５４の上端部の取付位置（側面側に偏った位置）に後述する調節機構４を収納する回避口５３ａと、回避口５３ａに閉時の扉面に沿った方向の側面から連通するネジ孔５３ｂとを形成している。
【００１６】
上記構成による香炉５は、扉５４により仕切られた収納空間を有し、この空間には線香を載置する香炉皿Ｄ、必要により鈴や蝋燭立て（図示省略）等の葬祭用品を収納している。なお、本実施例の各扉５４、５４には透かし彫り５４ｂの意匠が施されており、また開閉動作を行い易いように取手５４ａも配置している。
【００１７】
本機構１は上記香炉５の回動軸を扉５４の上下端部で別個に形成すると共に、それぞれを基台５１又は立枠５２の取付部５１ａ、５２ａに軸支持して構成している。すなわち、回動軸の下端側は固定軸２をもって基台５１の取付部５１ａに軸支持し、上端側は調節機構４と係合する移動軸３をもって立枠５２の取付部５２ａに軸支持している。
【００１８】
なお、本機構１の固定軸２、移動軸３、及び調節機構４の各構成要素は、滑動性や耐久性等を考慮して、墓石Ｇや香炉５と同じ石材ではなくステンレス等の金属若しくは合成樹脂、又はこれらの組み合わせから形成するのが好ましい。本実施例では、上記の各構成要素はステンレス材から形成して配置している。
【００１９】
固定軸２は基台５１の取付部５１ａの開孔に嵌合させて立設した挿入軸２１を、扉５４の下端側の開孔に嵌合させて配置した軸受部２２に挿入することにより構成している。挿入軸２１は上端部が半球状を成すと共に、基台５１の上面に当接して軸高さを位置決めするフランジを側面に形成している。軸受部２２は挿入した挿入軸２１の半円球の上端部が当接する底部を有した有底円筒体であり、下端部に扉５４の下端面に当接して挿入軸２１の挿入深さを設定するフランジを形成している。固定軸２はかかる構成により、扉５４の下端側を基台５１の取付部５１ａに対して円滑な回動状態をもって軸支持している。
【００２０】
扉５４の上端側であって、固定軸２の軸延長上の開孔には移動軸３を嵌合させて配置している。この移動軸３は略中央に摺動孔３１を形成した有底円筒体である。また、移動軸３の上端部にフランジを形成し、これを扉５４の上端面に当接させて摺動孔３１の扉に対する深さを設定している。なお、摺動孔３１には、後述する調節機構４を構成する稼動部４２の摺動軸４２ｂが挿入し、これによって扉５４の上端部を軸支持している。
【００２１】
調節機構４は、扉５４の上部側であって、天面板５３の回避口５３ａの内部に収納状態で位置している。この調節機構４は立枠５２の取付部５２ａに保持体４３を介して支持する送りネジ４１と、この送りネジ４１の先端側に螺合して移動軸３を軸支持する稼動部４２と、から構成している。
【００２２】
送りネジ４１は、閉時の扉面に沿った方向に水平配置するいわゆる長ネジであり、頭部側を天面板５３の外部に露出させている。この送りネジ４１を支持する保持体４３は、側面にフランジを形成した段付きシャフトの形状を呈し、扉５４の上端部が隣接する立枠５２の取付部５２ａの開孔に配置している。保持体４３の上部側には貫通孔４３ａが形成してあり、この貫通孔４３ａによって送りネジ４１の側面を支持している。
【００２３】
稼動部４２は、送りネジ４１の先端側と螺号するネジを刻設したナット４２ａと、このナット４２ａの下側鉛直方向に固定配置した摺動軸４２ｂと、から構成している。摺動軸４２ｂは、上述したように移動軸３の摺動孔３１に摺動かつ回動自在に挿入して扉５４の上端部を軸支持している。
【００２４】
上記構成の調節機構４は、天面板５３の裏面側に形成した回避口５３ａによって、天面板５３との干渉状態を回避している。また、送りネジ４１は回避口５３ａに連通するように天面板５３の側面から形成したネジ孔５３ｂによって干渉状態を回避すると共に、頭部を天面板５３の側面に露出させている。
【００２５】
本機構１を採用する香炉５は、以下のように組立を行っている。なお、香炉５は左右対称の２つの扉５４、５４を有しているが、説明は一方側のみとする。
まず、載置した基台５１の取付部５１ａに挿入軸２１を立設し、この挿入軸２１の配置と前後して立枠５２を所定位置に立設する。そして、この挿入軸２１へ予め軸受部２２を配置した扉５４の下端部を嵌め合わせて軸支持する。
【００２６】
扉５４の下端部の軸支持後に、扉５４の上端部及び立枠５２の上面にそれぞれ移動軸３と調節機構４の保持体４３を配置すると共に、移動軸３の摺動孔３１に稼動部４２の摺動軸４２ｂを嵌め合わせる。なお、移動軸３及び保持体４３は組立前に予め扉５４の上端部及び立枠５２にそれぞれ配置しておいても良い。
【００２７】
次に、天面板５３を立枠５２の上端面に載置する。この時に、稼動部４２及び保持体４３の上部側は天面板５３の回避口５３ａに収納され、天面板５３の下面とは干渉しない。
【００２８】
最後に、天面板５３の側面に開孔したネジ孔５３ｂから送りネジ４１の先端側を挿入し、保持体４３の貫通孔４３ａを貫通させると共に稼動部４２のナット４２ａと螺合させ、扉５４の上端部を軸支持する。
【００２９】
本機構１はこの手順により組立を行っているため、扉５４の上端部は調節機構４により水平方向に位置調節代を有し、扉５４の回動軸の各取付部５１ａ、５２ａに対する位置精度が悪くとも組立時の芯出し作業等が容易である。
【００３０】
また、本機構１を採用する香炉５は、組立後であっても天面板５３の側面に露出した送りネジ４１の頭部を、例えば、ドライバ等で軸回転させることにより扉５４の傾斜の調節が可能である。すなわち、送りネジ４１を軸回転させることにより（矢印ａ）、これと螺合する稼動部４２のナット４２ａが水平方向に軸移動し（矢印ｂ）、ナット４２ａに固定する摺動軸４２ｂが上下方向に移動しつつ（矢印ｃ）移動軸３を移動させ、下端側を固定している扉５４の傾斜の調節（矢印ｄ）を可能としている。
［他の実施形態の可能性］
【００３１】
本機構１は、上記実施形態例では調節移動の方向が閉時の扉面に沿った方向としているが、この方向に限定するものではない。すなわち、開時の扉面に沿った方向、又は閉時の扉面と所定の角度を持った方向とすることも可能である。この場合には天面板５３に形成するネジ孔５３ｂの開孔方向を上記の方向に適合させる必要がある。
【００３２】
また、調節移動の方向は１方向に限定せずに２方向にすることも可能である。この場合には、天面板５３の回避口５３ａと連通する２箇所のネジ孔５３ｂを形成すると共に、各ネジ孔５３ｂ、５３ｂを他方の送りネジ４１の配置方向に長孔状とする必要がある。そして、稼動部４２のナット４２ａは２つの送りネジ４１、４１と２方向に螺合する、例えば、十字形やＴ字形の形状にする必要もある。
【図面の簡単な説明】
【００３３】
【図１】本機構を示す一部切り欠き斜視図である。
【図２】本機構を示す組立斜視図である。
【図３】本機構の調節時の状態を示す作用図である。
【図４】墓石の外観を示す斜視図（Ａ）と香炉を示す斜視図（Ｂ）である。
【符号の説明】
【００３４】
１  本機構
２  固定軸
２１  挿入軸
２２  軸受部
３  移動軸
３１  摺動孔
４  調節機構
４１  送りネジ
４２  稼動部
４２ａ  ナット
４２ｂ  摺動軸
４３  保持体
４３ａ  貫通孔
５  香炉
５１  基台
５１ａ  取付部
５２  立枠
５２ａ  取付部
５３  天面板
５３ａ  回避口
５３ｂ  ネジ孔
５４  扉
５４ａ  取手
５４ｂ  透かし彫り
Ｄ  香炉皿
Ｇ  墓石
【図１】
2007204977.tif 000003
【図２】
2007204977.tif 000004
【図３】
2007204977.tif 000005
【図４】
2007204977.tif 000006